(57)【要約】【課題】多室包装袋４において、表面フィルム１側と裏面フィルム３側に形成された２つの収納部９ａ，９ｂを選択的に開口させるための吸引孔８を１箇所だけで済むようにし、表裏両フィルム１，３のピッチ合わせの手間、吸引孔８の形成に伴う製袋時の原反フィルムの取り扱い性低下、シールバーへのシーラント材の付着堆積、及び封止用の熱融着部に残される吸引孔８の跡による見栄えの低下をいずれも軽減できるようにする。【解決手段】表面フィルム１側の収納部９ａの開口幅に比して、裏面フィルム３側の収納部９ｂ開口幅が広くなっていると共に、裏面フィルム３の開口部側の縁部にだけ、裏面フィルム３側から分割フィルム２を吸引するための吸引孔８が形成された多室包装袋４とする。【選択図】図２
2010006406.tif 000002
【特許請求の範囲】
【請求項１】
表裏いずれか一方に位置する一方のフィルムと、他方に位置する他方のフィルムとの間に、一方のフィルムと他方のフィルム間の開口部を二分して分割フィルムが挟み込まれ、分割フィルムを境に、一方のフィルム側と他方のフィルム側とにそれぞれ収納部が形成された袋状をなし、少なくとも開口部側の一部において、一方のフィルム側の収納部の開口幅に比して、他方のフィルム側の収納部の開口幅が広くなっていると共に、他方のフィルムの開口部側の縁部には、他方のフィルム側から分割フィルムを吸引するための吸引孔が形成されていることを特徴とする自動充填用多室包装袋。
【請求項２】
一方のフィルム、分割フィルム及び他方のフィルムの左右両側縁部がそれぞれ重ねられて側縁融着部で接合されており、この左右の側縁融着部の一方又は両者において、開口部側の少なくとも一部で、一方のフィルムと分割フィルムと他方のフィルムの三者を接合している三層融着部から、一方のフィルムと分割フィルムの二者を接合している二層融着部が袋の内側に入り込んでいることを特徴とする請求項１に記載の自動充填用多室包装袋。
【請求項３】
一方のフィルム、分割フィルム及び他方のフィルムの左右両側縁部がそれぞれ重ねられて側縁融着部で接合されており、この左右の側縁融着部の一方又は両者において、全長に亘って、一方のフィルムと分割フィルムと他方のフィルムの三者を接合している三層融着部から、一方のフィルムと分割フィルムの二者を接合している二層融着部が袋の内側に入り込んでいることを特徴とする請求項１に記載の自動充填用多室包装袋。
【請求項４】
請求項１〜３のいずれか１項に記載の自動充填用多室包装袋を用い、
一方のフィルムと他方のフィルムの開口部側の縁部を、一方のフィルムに対向する吸引盤と他方のフィルムに対向する吸引盤とでそれぞれ吸引して外方へ引っ張ることで、他方のフィルム側の収納部のみを開口させて被包装物を充填する工程と、
一方のフィルムの開口部側の縁部を当該一方のフィルムに対向する吸引盤で吸引すると共に、分割フィルムの開口部側の縁部を、吸引孔を介して、他方のフィルムに対向する吸引盤で吸引して、それぞれ外方へ引っ張ることで、一方のフィルム側の収納部のみを開口させて被包装物を充填する工程とを有することを特徴とする包装体の製造方法。
【請求項５】
他方のフィルム側の収納部と、一方のフィルム側の収納部とに被包装物を充填後、開口部側の縁部を融着し、吸引孔を内包する封止融着部を形成した後、封止融着部に吸引孔を含む単一の貫通孔を吊り下げ孔として形成することを特徴とする請求項４に記載の包装体の製造方法。
【発明の詳細な説明】
【技術分野】
【０００１】
本発明は、複数の収納部を有する多室包装袋及びこの多室包装袋を用いた包装体の製造方法に関する。
【背景技術】
【０００２】
従来、袋の表裏面を形成する表面フィルムと裏面フィルムとの間に、表面フィルムと裏面フィルム間の開口部を二分して分割フィルムが挟み込まれ、分割フィルムを境に、表面フィルム側と裏面フィルム側とに、それぞれ収納部が形成された袋状をなし、表面フィルム側から分割フィルムを吸引するための吸引孔（表面側吸引孔）と、裏面フィルム側から分割フィルムを吸引するための吸引孔（裏面側吸引孔）とが、表面フィルムと裏面フィルムの開口部側の縁部にそれぞれ形成された自動充填用多室包装袋と、それを用いた包装体の製造方法とが知られている（例えば、特許文献１参照）。
【０００３】
さらに説明すると、被包装物は、表面フィルム側と裏面フィルム側でそれぞれ動作する吸引盤で吸引し、外方へ引っ張って各収納部を開口させることで自動充填される。上記多室包装袋の表面側吸引孔と裏面側吸引孔は、この自動充填時に、２つの収納部を別々に開口させることができるようにし、自動充填時の誤充填を防止するためのものである。例えば、表面フィルム側の吸引盤を表面側吸引孔の位置に押し当てて分割フィルムを吸引させると共に、裏面フィルム側の吸引盤を裏面側吸引孔からずれた位置に押し当てて裏面フィルムを吸引させ、それぞれ外方へ引っ張ると、裏面フィルム側の収納部を開口させることができる。これとは逆に、表面フィルム側の吸引盤を表面側吸引孔からずれた位置に押し当てて表面フィルムを吸引させると共に、裏面フィルム側の吸引盤を裏面側吸引孔の位置に押し当てて分割フィルムを吸引させ、それぞれ外方へ引っ張ると、表面フィルム側の収納部を開口させることができる。
【０００４】
【特許文献１】特許第３４１３５０６号公報
【発明の開示】
【発明が解決しようとする課題】
【０００５】
しかしながら、上記従来の自動充填用多室包装袋は、２つの収納部を選択的に開口するために、表面フィルムと裏面フィルムの両者に吸引孔を形成することが必要となる。このため、表面フィルムに形成した吸引孔と、裏面フィルムに形成した吸引孔が共に所定の位置になるよう調整しなければならず、両フィルムのピッチ合わせなど、製袋時の工程数が増える問題がある。また、吸引孔は、通常、原反フィルムに形成するが、吸引孔が形成されることにより原反フィルムの強度が低下し、表面フィルムと裏面フィルムのいずれの原反フィルムについても製袋時の取り扱い性が低下するという問題もある。
【０００６】
さらに、被包装物の充填後は、両収納部の開口部側の縁部を熱融着して封止するが、表裏両フィルムに吸引孔が形成されているので、シールバーへシーラント材などが付着堆積しやすい問題がある。また、上記熱融着は、吸引孔が熱融着部に内包されるようにして行われるが、凹部としてその跡が表裏両面に残ってしまい、得られる包装体の見栄えを悪くする問題もある。
【０００７】
本発明は、２つの収納部を選択的に開口させるための吸引孔を表裏いずれか１箇所だけで済むようにし、表裏両フィルムのピッチ合わせの手間、吸引孔の形成に伴う製袋時の原反フィルムの取り扱い性低下、シールバーへのシーラント材の付着堆積、及び封止用の熱融着部に残される吸引孔の跡による見栄えの低下をいずれも軽減できるようにすることを目的とする。
【課題を解決するための手段】
【０００８】
本発明は、上記目的を達成するために、表裏いずれか一方に位置する一方のフィルムと、他方に位置する他方のフィルムとの間に、一方のフィルムと他方のフィルム間の開口部を二分して分割フィルムが挟み込まれ、分割フィルムを境に、一方のフィルム側と他方のフィルム側とにそれぞれ収納部が形成された袋状をなし、少なくとも開口部側の一部において、一方のフィルム側の収納部の開口幅に比して、他方のフィルム側の収納部の開口幅が広くなっていると共に、他方のフィルムの開口部側の縁部には、他方のフィルム側から分割フィルムを吸引するための吸引孔が形成されていることを特徴とする自動充填用多室包装袋を提供するものである。
【０００９】
上記本発明に係る自動充填用多室包装袋は、一方のフィルム、分割フィルム及び他方のフィルムの左右両側縁部がそれぞれ重ねられて側縁融着部で接合されており、この左右の側縁融着部の一方又は両者において、開口部側の少なくとも一部で、一方のフィルムと分割フィルムと他方のフィルムの三者を接合している三層融着部から、一方のフィルムと分割フィルムの二者を接合している二層融着部が袋の内側に入り込んでいること、
一方のフィルム、分割フィルム及び他方のフィルムの左右両側縁部がそれぞれ重ねられて側縁融着部で接合されており、この左右の側縁融着部の一方又は両者において、全長に亘って、一方のフィルムと分割フィルムと他方のフィルムの三者を接合している三層融着部から、一方のフィルムと分割フィルムの二者を接合している二層融着部が袋の内側に入り込んでいること、
をその好ましい態様として含むものである。
【００１０】
また、本発明は、上記自動充填用多室包装袋を用い、
一方のフィルムと他方のフィルムの開口部側の縁部を、一方のフィルムに対向する吸引盤と他方のフィルムに対向する吸引盤とでそれぞれ吸引して外方へ引っ張ることで、他方のフィルム側の収納部のみを開口させて被包装物を充填する工程と、
一方のフィルムの開口部側の縁部を当該一方のフィルムに対向する吸引盤で吸引すると共に、分割フィルムの開口部側の縁部を、吸引孔を介して、他方のフィルムに対向する吸引盤で吸引して、それぞれ外方へ引っ張ることで、一方のフィルム側の収納部のみを開口させて被包装物を充填する工程とを有することを特徴とする包装体の製造方法を提供するものでもある。
【００１１】
上記本発明の包装体の製造方法は、他方のフィルム側の収納部と、一方のフィルム側の収納部とに被包装物を充填後、開口部側の縁部を融着し、吸引孔を内包する封止融着部を形成した後、封止融着部に吸引孔を含む単一の貫通孔を吊り下げ孔として形成することをその好ましい態様として含むものである。
【００１２】
なお、本発明に係る包装体の製造方法において、他方のフィルム側の収納部を開口させて被包装物を充填する工程と、一方のフィルム側の収納部を開口させて被包装物を充填する工程とのいずれを先に行うかは被包装物に応じて選択すれば足る。本発明に係る包装体の製造方法において、上記両工程を有するとは、少なくとも両工程が行われることを意味し、その順番は問わない。
【発明の効果】
【００１３】
本発明によれば、一方のフィルム側の収納部は、一方のフィルムの開口部側の縁部を吸引すると共に、他方のフィルム側から吸引孔を介して分割フィルムの開口部側の縁部を吸引して引っ張ることで開放することができる。
【００１４】
一方、他方のフィルム側の収納部の開放は、一方のフィルムの開口部側の縁部と、他方のフィルムの開口部側の縁部とを吸引して引っ張ることで行うことができる。この他方のフィルム側の収納部の開放は、分割フィルムがいずれの側にも吸引されない状態で行われる。しかし、他方のフィルム側の収納部の開口幅が一方のフィルム側の開口幅より広く、他方のフィルム側の収納部の方が一方のフィルム側の収納部より開口させやすい状態となっているため、一方のフィルム側の収納部を開放させることなく、他方のフィルム側の収納部を優先的に開放することができる。
【００１５】
上記のように、本発明によれば、他方のフィルム側のみに吸引孔を設けることで、一方のフィルム側の収納部と、他方のフィルム側の収納部を選択的に開放することができる。したがって、表裏両フィルムのピッチ合わせの手間、吸引孔の形成に伴う原反フィルムの製袋時の取り扱い性低下、シールバーへのシーラント材の付着堆積、及び封止用の熱融着部に残される吸引孔の跡による見栄えの低下のいずをも、２つの吸引孔が必要な従来に比して１／２に軽減することができる。
【発明を実施するための最良の形態】
【００１６】
以下、本発明を図面に基づいて更に説明する。なお、以下に説明する図面において、同じ符号は同様の部材又は部位を示す。
【００１７】
まず、図１〜図８に基づいて、本発明の第１の例に係る多室包装袋と、これを用いた本発明の包装体の製造方法の一例を説明する。
【００１８】
図１は本発明の第１の例に係る多室包装袋を構成するフィルムの組み合わせ状態の説明図、図２は本発明の第１の例に係る多室包装袋の斜視図、図３は本発明の第１の例に係る多室包装袋を把持具にセットした状態の斜視図、図４は本発明の第１の例に係る多室包装袋の他方のフィルム側の収納部への被包装物充填時の説明図、図５は本発明の第１の例に係る多室包装袋の他方のフィルム側の収納部を開放する時の作用の説明図、図６は本発明の第１の例に係る多室包装袋の一方のフィルム側の収納部への被包装物充填時の説明図、図７は製造された包装体の一例を示す平面図、図８は製造された包装体の他の例を示す平面図である。
【００１９】
図１及び図２に示されるように、本例の多室包装袋４は、一方のフィルム１、分割フィルム２及び他方のフィルム３の３枚のフィルムで構成されている。一方のフィルム１と他方のフィルム３は、多室包装袋４の表裏に位置するもので、いずれが表面でも裏面でもよいが、説明の便宜上、一方のフィルム１を袋の表面側に位置する表面フィルム、他方のフィルム３を袋の裏面側に位置する裏面フィルムとして説明する。
【００２０】
本例における上記表面フィルム１、分割フィルム２及び裏面フィルム３は、同種のフィルムで構成された同形同大のものとなっている。多室包装袋４は、表面フィルム１、分割フィルム２及び裏面フィルム３を、表面フィルム１と裏面フィルム３の間に分割フィルム２を挟み込んで重ね、分割フィルム２で二分された開口部７を残して、重ね合わされた周縁部の三方を熱融着した袋状をなしている。５，５は左右の側縁融着部、６は底縁融着部である。
【００２１】
分割フィルム２は、上記熱融着が施されていない一縁部に形成された、表面フィルム１と裏面フィルム３間の開口部７を二分しており、分割フィルム２を境にして、表面フィルム１側と裏面フィルム３側とにそれぞれ収納部９ａ，９ｂが形成されている。収納部９ａ，９ｂは、上記分割フィルム２で二分された開口部７の一方と他方である開口部７ａ，７ｂをそれぞれ有するものとなっている。裏面フィルム３の開口部７（７ｂ）側の縁部の中央部には、裏面フィルム３側から分割フィルム２を吸引することができるよう、裏面フィルム３だけにそれを貫通する吸引孔８が形成されている。
【００２２】
ところで、前記側縁融着部５，５は、表面フィルム１と分割フィルム２と裏面フィルム３の三者を接合した三層融着部５ｂ，５ｂと、表面フィルム１と分割フィルム２の二者を接合した二層融着部５ａ，５ａとで構成されている。そして、本例の多室包装袋４は、左右の両側縁融着部５，５において、全長に亘って、二層融着部５ａ，５ａが三層融着部５ｂ，５ｂより袋の内側に入り込んでいる。その結果、表面フィルム１側の収納部９ａの開口幅に比して裏面フィルム３側の収納部９ｂの開口幅が広くなっている。このような開口幅とすることで、後述するように、裏面フィルム３側の収納部９ｂを開放する時に、表面フィルム１側から分割フィルム２を吸引しなくても、表面フィルム１側の収納部９ａを開放させることなく、裏面フィルム３側の収納部９ｂを優先的に開放することができる。
【００２３】
本例においては、左右両側縁融着部５，５において、二層融着部５ａ，５ａが三層融着部５ｂ，５ｂより袋の内側に入り込んでいるが、いずれか一方の側縁融着部５のみにおいて、二層融着部５ａが三層融着部５ｂより袋の内側に入り込んでいるものとすることもできる。
【００２４】
本発明の多室包装袋４を構成する表面フィルム１、分割フィルム２及び裏面フィルム３としては、合成樹脂の単層又は積層フィルムを用いることができる。積層フィルムとしては、合成樹脂層同士を積層したものの他、合成樹脂層と、金属その他の無機物層や紙層などとを積層したものでもよい。
【００２５】
本例の多室包装袋４は、表面フィルム１と分割フィルム２を重ね、二層融着部５ａ，５ａ部分と、二層融着部５ａ，５ａに隣接する三層融着部５ｂ，５ｂの一部又は三層融着部５ｂ，５ｂ全体に相当する部分とを熱融着した後、さらに裏面フィルム３を重ねて、三層融着部５ｂ，５ｂに相当する領域を熱融着することで容易に製造することができる。
【００２６】
多室包装袋４には、表面フィルム１と分割フィルム２間に形成された表面フィルム１側の収納部９ａと、裏面フィルム３と分割フィルム２間に形成された裏面フィルム３側の収納部９ｂとに分けて、２種類の被包装物を充填することができる。被包装物は、表面フィルム１側の収納部９ａと、裏面フィルム３側の収納部９ｂとを別々に開くこと（開口部７ａと７ｂを別々に開くこと）で、充填箇所を誤ることなく自動充填することができる。
【００２７】
次に、上記多室包装袋４を用いた包装体の製造方法の一例について説明する。
【００２８】
上記多室包装袋４を用いた包装体の製造は、例えば図３に示されるような把持具１１，１１で多室包装体４を立てた状態で保持して行うことができる。
【００２９】
まず、図３に示されるように、多室包装袋４を、左右の側縁融着部５，５の上部を把持具１１，１１で把持して吊り下げ、表面フィルム１と裏面フィルム３の外面に向かってそれぞれ進退可能な一対の吸引盤１０ａ，１０ｂ間に位置させる。この把持具１１，１１としては、左右の側縁融着部５，５を挟み付けて保持するクリップ状のものを用いることができる。また、両把持具１１，１１は、収納部９ａ，９ｂを大きく開口させることができるようにすると共に、この開放に伴って多室包装袋４に無理な力が加わらないよう、対向方向に弾性的に進退可能としておくことが好ましい。
【００３０】
表面フィルム１側の収納部９ａ（図２参照）と、裏面フィルム３側の収納部９ｂ（図２参照）の選択的開放は、上記吸引盤１０ａ，１０ｂの進退と吸引によって行われる。吸引盤１０ａ，１０ｂによる吸引位置については後述するが、この吸引位置の調節は、吸引盤１０ａ，１０ｂ間における多室包装袋４の位置を調節することで行うこともできる。しかし、吸引位置の調節を行いやすくするために、上記吸引盤１０ａ，１０ｂは、対向する表面フィルム１又は裏面フィルム３に沿って上下左右に移動可能としておくことが好ましい。
【００３１】
裏面フィルム３側の収納部９ｂを開放して被包装物を充填する方法について説明する。
【００３２】
図４に示されるように、両吸引盤１０ａ，１０ｂを、表面フィルム１と裏面フィルム３とに向かって前進させ、表面フィルム１の開口部７側の縁部の中央部分と、裏面フィルム３の吸引孔８からずれた開口部６側の縁部とにそれぞれ当接させて吸引する。表面フィルム１と裏面フィルム３とが吸引盤１０ａ，１０ｂにそれぞれ吸着された状態で、両吸引盤１０ａ，１０ｂを後退させる。これにより、表面フィルム１と裏面フィルム３は、外方へ引っ張られ、それぞれ外方に凸に湾曲される。
【００３３】
ところで、前述のように、表面フィルム１側の収納部９ａ（図２参照）に比して裏面フィルム３側の収納部９ｂの開口幅が広く、開放されやすくなっていることから、裏面フィルム３は分割フィルム２から離れて外方へ凸に湾曲して裏面フィルム３側の収納部９ｂが開放される。また、裏面フィルム３側の収納部９ｂに比して表面フィルム１側の収納部９ａの開口幅は狭く、開放されにくくなっていることから、裏面フィルム３側の収納部９ｂが開放されても表面フィルム側の収納部９ａは開放されずに閉じた状態を維持する。したがって、裏面フィルム３側の収納部９ｂだけが開放され、誤投入を防止しつつ、被包装物を確実に裏面フィルム３側の収納部９ｂに自動充填することができる。
【００３４】
特に、本例のように、左右両側縁融着部５，５において、二層融着部５ａ，５ａが三層融着部５ｂ，５ｂより袋の内側に入り込んでいると、図５に示されるように、表面フィルム１を外方へ引っ張ることにより、二層融着部５ａ，５ａの内側端部において、分割フィルム２を表面フィルム１と同じ方向へ引っ張る力Ｆが作用する。このため、分割フィルム２は表面フィルム１に追従して表面フィルム１側に凸に湾曲し、表面フィルム１側の収納部９ａ（図２参照）は閉じた状態のままとなる。
【００３５】
三層融着部５ｂ，５ｂより二層融着部５ａ，５ａが袋の内側に入り込む量は、収納部９ａ，９ｂ間の開放させやすさに差をもたせると共に、上記力Ｆを作用させやすくするために、１ｍｍ以上であることが好ましく、特に２〜５ｍｍであることが好ましい。上限は袋の大きさなどによって相違するが、一般的には２０ｍｍまでである。
【００３６】
両吸引盤１０ａ，１０ｂを後退させて表面フィルム１と裏面フィルム３を外方へ引っ張り、裏面フィルム３側の収納部９ｂを開放させる時、両把持具１１，１１は弾性的に対向方向に前進し、多室包装袋４に過剰な張力が働くのを防止する。前記のようにして裏面フィルム３側の収納部９ｂに被包装物を充填した後、両吸引盤１０ａ，１０ｂを前進させると、両把持具１１，１１は弾性的に後退し、これに伴って収納部９ｂの開口部７ｂは閉じた状態に戻る。
【００３７】
次に、表面フィルム１側の収納部９ａ（図２参照）を選択的に開放する方法について説明する。
【００３８】
図６に示されるように、吸引盤１０ａ，１０ｂを、表面フィルム１の開口部７側の縁部の中央部分と、裏面フィルム３の吸引孔８の部分とにそれぞれ当接させて吸引し、表面フィルム１を吸引盤１０ａで吸着すると共に、吸引孔８を介して分割フィルム２を吸引盤１０ｂで吸着する。この状態で吸引盤１０ａ，１０ｂを後退させると、図６に示されるように、表面フィルム１が外方へ引っ張られると共に、分割フィルム２が裏面フィルム３を伴って外方へ引っ張られ、表面フィルム１側の収納部９ａの開口部７ａが広げられる。この時、分割フィルム２が吸引孔８を介して吸引盤１０ｂに吸着されていることで、分割フィルム２と裏面フィルム３は密着しており、裏面フィルム３側の収納部９ｂ（図２参照）の開口部７ｂは閉じた状態にある。したがって、表面フィルム１側の収納部９ａだけが開放され、誤投入を防止しつつ、被包装物を確実に表面フィルム１側の収納部９ａへ自動充填することができる。
【００３９】
両吸引盤１０ａ，１０ｂを後退させて表面フィルム１と、分割フィルム２及び裏面フィルム３とを外方へ引っ張り、表面フィルム１側の収納部８ａを開放させる時、両把持具１１，１１は弾性的に対向方向に前進し、多室包装袋４に過剰な張力が働くのを防止する。前記のようにして表面フィルム１側の収納部９ａに被包装物を充填した後、両吸引盤１０ａ，１０ｂを前進させると、両把持具１１，１１は弾性的に後退し、これに伴って収納部９ａの開口部７ａは閉じた状態に戻る。
【００４０】
以上のようにして、表面フィルム１側の収納部９ａと、裏面フィルム３側の収納部９ｂとへそれぞれ該当する被包装物を自動充填した後、開口部７側の縁部を熱融着して、図７に示されるように、吸引孔８を内包する封止融着部１２を形成し、開口部７を封止して包装体の製造を完了する。開口部７側の縁部の熱融着は、被包装物を収納した多室包装袋４を把持具１１，１１で吊り下げた状態で、開口部７側の縁部をシールバーで挟み付けることで行うことができる。
【００４１】
ところで、図７に示される包装体は、封止融着部１２に吸引孔８の跡が、裏面フィルム３側のみではあるが、凹部として残る。そこで、図８に示されるように、上記封止融着部１２の形成後、吸引孔８部分を打ち抜いて、吸引孔８を内包する単一の貫通孔を吊り下げ孔１３として形成することが好ましい。この吊り下げ孔１３は、製造された包装体を店頭で吊り下げ陳列するためのもので、この吊り下げ孔１３で吸引孔８の跡を消してしまうことにより、違和感を無くすことができる。吊り下げ孔１３は、吸引孔８と同じか吸引孔８より大きい貫通孔として形成されるもので、図示される円形の孔の他、楕円形、ひょうたん形、卵形、おむすび形などとすることもできる。
【００４２】
以上の説明では、裏面フィルム３側の収納部９ｂへの被包装物の充填、表面フィルム１側の収納部９ａへの被包装物の充填の順となっているが、これとは逆に、表面フィルム１側の収納部９ａへの被包装物の充填、裏面フィルム３側の収納部９ｂへの被包装物の充填の順で行うこともできる。また、把持具１１，１１を用いた方法を説明したが、把持具１１，１１を用いずに行うこともできる。例えば、表面フィルム１側の吸引盤１０ａを一定位置に固定しておき、この吸引盤１０ａに表面フィルム１の開口部７側の縁部を吸着させて多室包装袋４を立てて保持し、裏面フィルム３側の吸引盤１０ｂを、吸引位置を変えて進退させ、裏面側フィルム３のみ、又は裏面側フィルム３及び分割フィルム２の両者を外方へ引っ張ることでも、収納部９ａ，９ｂを選択的に開放しながら被包装物を充填して包装体を製造することができる。
【００４３】
次に、図９に基づいて、本発明の第２の例に係る多室包装袋について説明する。
【００４４】
図９は本発明の第２の例に係る多室包装袋の斜視図である。
【００４５】
図９に示されるように、本例の多室包装袋４は、基本的には前述の第１の例に係る多室包装袋４と同様であるが、二層融着部５ａ，５ａが、三層融着部５ｂ，５ｂよりも袋の内側に入り込んでいる部分が、側縁融着部５、５の全長に亘るものではなく、側縁融着部５，５の開口部７側の一部のみとなっている。特に三層融着部５ｂ，５ｂよりもはみ出した二層融着部５ａ，５ａを、図７及び図８に示される封止融着部１２が形成される範囲内に設けておくと、封止後はこの二層融着部５ａ，５ａの存在が分からなくなる。また、本例の多室包装袋４の収納部９ａ，９ｂを、図４及び図６で説明したように吸引盤１０ａ，１０ｂで開放するに際しては、表面フィルム１側の吸引盤１０ａは、図５で説明した力Ｆを作用させやすくするために、二層融着部５ａ，５ａ間の領域を吸引させることが好ましい。
【００４６】
なお、本例においては、左右の側縁融着部５，５の両者に二層融着部５ａ，５ａが形成されているが、いずれか一方の側縁融着部５にのみに形成することもできる。また、本例における二層融着部５ａ，５ａと開口部７（７ａ）との間には間隔があけられているが、この間隔を置かずに開口部７ａから連続する二層融着部とし、上記吸引盤１０ａで吸引することが好ましい領域を広げることもできる。
【００４７】
次に、図１０に基づいて、本発明の第３の例に係る多室包装袋について説明する。
【００４８】
図１０は本発明の第３の例に係る多室包装袋の斜視図である。
【００４９】
図１０に示されるように、本例の多室包装袋４は、基本的には前述の第１の例に係る多室包装袋４と同様であるが、表面フィルム１が裏面フィルム３及び分割フィルム２より短いものとなっている。なお、側縁シール部５のうち、下方の二層融着部５ｘは裏面側フィルム３と分割フィルム２を接合しているものであり、底縁シール部６のうち、下方の二層融着部６ｘは裏面側フィルム３と分割フィルム２を接合し、中段の二層融着部６ｙは表面フィルム１と分割フィルム２を接合するものである。
【００５０】
本例の多室包装袋４においては、表面フィルム１が裏面フィルム３及び分割フィルム２より短いことから、裏面フィルム３側の収納部９ａの深さが深く、表面フィルム１側の収納部９ｂの深さが浅くなっている。このため、収納部９ｂへ収納する被包装物に比して収納部９ａへ収納する被包装物の量が少ない場合や小さい場合に対応することができる。
【００５１】
本発明は、上記のような収納部９ａと９ｂの大きさが異なる袋の外、表面フィルム１と分割フィルム２の間及び／又は裏面フィルム３と分割フィルムの間に底面フィルムを挟み込み収納部９ａ及び／又は９ｂをガゼットタイプの袋状とした多室包装袋にも適用することができる。
【実施例】
【００５２】
実施例１
ＬＬ（４０μｍ）／ＰＥＴ（１２μｍ）／Ａｌ（９μｍ）／ＬＬ（４０μｍ）の層構成の積層フィルムで、５０ｍｍ×１００ｍｍの大きさのフィルムを２枚横長にして重ね合わせ、左右の短辺側縁部を幅１０ｍｍでヒートシールした後、もう１枚の同じフィルムをやはり横長にして重ね合わせ、左右の短辺側縁部を幅９ｍｍでヒートシールし、筒状の模擬多室包装袋を作成した。つまり、側縁融着部における二層融着部が１ｍｍだけ三層融着部より袋の内側に入り込んだ模擬多室包装袋を作成した。
【００５３】
上記模擬多室包装袋を、未シール縁部を上下方向にして、一対の吸引盤間に手で位置させ、両吸引盤を前進させてそれぞれ表面と裏面に吸着させた。吸引盤による吸着位置は、両吸引盤共に、上方の未シール縁部の左右ほぼ中央部で、上縁から約５ｍｍ下がった位置とした。
【００５４】
模擬多室包装袋吸引盤に吸着させた後手を離し、両吸引盤を後退させて、収納部の開孔状態を観察する作業を５回繰り返した。結果を表１に示す。なお、表１においては、三層融着部からの二層融着部のはみ出し量を「シール幅差」、開口幅の小さい収納部を「第１室」、開口幅の大きい収納部を「第２室」とする。
【００５５】
実施例２
実施例１と同じ２枚のフィルムを横長にして重ね、左右の短辺側縁部を幅２０ｍｍでヒートシールした後、もう１枚の同じフィルムをやはり横長にして重ね合わせ、左右の短辺側縁部を幅１０ｍｍでヒートシールし、筒状の模擬多室包装袋を作成した。つまり、側縁融着部における二層融着部が１０ｍｍだけ三層融着部より袋の内側に入り込んだ模擬多室包装袋を作成した。
【００５６】
上記模擬多重袋について、実施例１と同様にして収納部の開孔状態を観察した。結果を表１に示す。
【００５７】
比較例１
実施例１と同じフィルムを横長にして３枚重ね、左右の短辺側縁部を幅１０ｍｍでヒートシールして筒状の模擬多室包装袋を作成した。つまり、側縁融着部における三層融着部より袋の内側にはみ出した二層融着部が存在しない模擬多室包装袋を作成した。
【００５８】
上記模擬多重袋について、実施例１と同様にして収納部の開孔状態を観察した。結果を表１に示す。
【００５９】
【表１】
2010006406.tif 000003
【図面の簡単な説明】
【００６０】
【図１】本発明の第１の例に係る多室包装袋を構成するフィルムの組み合わせ状態の説明図である。
【図２】本発明の第１の例に係る多室包装袋の斜視図である。
【図３】本発明の第１の例に係る多室包装袋を把持具にセットした状態の斜視図である。
【図４】本発明の第１の例に係る多室包装袋の他方のフィルム側の収納部への被包装物充填時の説明図である。
【図５】本発明の第１の例に係る多室包装袋の他方のフィルム側の収納部を開放する時の作用の説明図である。
【図６】本発明の第１の例に係る多室包装袋の一方のフィルム側の収納部への被包装物充填時の説明図である。
【図７】製造された包装体の一例を示す平面図である。
【図８】製造された包装体の他の例を示す平面図である。
【図９】本発明の第２の例に係る多室包装袋の斜視図である。
【図１０】本発明の第３の例に係る多室包装袋の斜視図である。
【符号の説明】
【００６１】
１    表面フィルム（一方のフィルム）
２    分割フィルム
３    裏面フィルム（他方のフィルム）
４    多室包装袋
５  側縁融着部
５ａ  二層融着部
５ｂ  三層融着部
５ｘ  二層融着部
６  底縁融着部
６ｘ  二層融着部
６ｙ  二層融着部
７    開口部
７ａ  開口部
７ｂ  開口部
８    吸引孔
９ａ  収納部
９ｂ  収納部
１０ａ  吸引盤
１０ｂ  吸引盤
１１  把持具
１２  封止融着部
１３  吊り下げ孔
【図１】
2010006406.tif 000004
【図２】
2010006406.tif 000005
【図３】
2010006406.tif 000006
【図４】
2010006406.tif 000007
【図５】
2010006406.tif 000008
【図６】
2010006406.tif 000009
【図７】
2010006406.tif 000010
【図８】
2010006406.tif 000011
【図９】
2010006406.tif 000012
【図１０】
2010006406.tif 000013